(57)【特許請求の範囲】
【請求項１】
同一直線上又はほぼ平行に、固定端と自由端との位置が相互に反対向きに配置され、各自由端が同一方向に沿って撓むよう自由度を有する一対の片持ち梁と、
Ｎ極面とＳ極面とを同一方向に向けて構成され、前記各片持ち梁の各自由端にそれぞれ装備された一対の磁界発生手段と、
各磁界発生手段のＮ極面及びＳ極面にそれぞれ少なくとも１つずつ対向して配置され磁界の向きを検出する各磁界検出手段と、を備え、
前記各磁界検出手段を、磁界の向きに応じて抵抗値が変化する磁気抵抗効果素子にてそれぞれ形成すると共に、対向する前記各磁界発生手段ごとに検出可能な磁界の向きが同一方向となるようそれぞれ配置した、
ことを特徴とする加速度センサ。
【請求項２】
同一直線上又はほぼ平行に、固定端と自由端との位置が相互に反対向きに配置され、各自由端が同一方向に沿って撓むよう自由度を有する一対の片持ち梁と、
Ｎ極面とＳ極面とを同一方向に向けて一体的に構成され、前記各片持ち梁の各自由端にそれぞれ装備された一対の磁界発生手段と、
各磁界発生手段のＮ極面及びＳ極面にそれぞれ少なくとも１つずつ対向して配置され磁界の向きを検出する各磁界検出手段と、を備え、
前記各磁界検出手段を、磁界の向きに応じて抵抗値が変化する磁気抵抗効果素子にてそれぞれ形成すると共に、対向する前記各磁界発生手段ごとに検出可能な磁界の向きが同一方向となるようそれぞれ配置した、
ことを特徴とする加速度センサ。
【請求項３】
前記片持ち梁の長手方向の加速度計測用として、一方及び他方の前記磁界発生手段のＮ極面とＳ極面とにそれぞれ対向する少なくとも４つから成る前記磁気抵抗効果素子の組を設けると共に、
前記片持ち梁が撓んだときの軌跡が形成される面に沿った当該片持ち梁の長手方向に直交する方向の加速度計測用として、前記加速度計測用の磁気抵抗効果素子の組と同様に少なくとも４つから成る前記磁気抵抗効果素子の組を別途設けた、
ことを特徴とする請求項１又は２記載の加速度センサ。
【請求項４】
前記片持ち梁の長手方向の加速度計測用として、一方の前記磁界発生手段のＮ極面と、一方の前記磁界発生手段のＳ極面と、他方の前記磁界発生手段のＮ極面と、他方の前記磁界発生手段のＳ極面と、にそれぞれ対向する４つの前記磁気抵抗効果素子の組を設けると共に、
前記片持ち梁が撓んだときの軌跡が形成される面に沿った当該片持ち梁の長手方向に直交する方向の加速度計測用として、一方の前記磁界発生手段のＮ極面と、一方の前記磁界発生手段のＳ極面と、他方の前記磁界発生手段のＮ極面と、他方の前記磁界発生手段のＳ極面と、にそれぞれ対向する４つの前記磁気抵抗効果素子の組を別途設けた、
ことを特徴とする請求項１又は２記載の加速度センサ。
【請求項５】
前記各方向の加速度計測用としてそれぞれ設けられた前記磁気抵抗効果素子の組ごとに、前記各磁気抵抗効果素子の間の差動電圧を検出するブリッジ回路をそれぞれ設けた、
ことを特徴とする請求項３又は４記載の加速度センサ。
【請求項６】
前記各磁気抵抗効果素子を、対向する前記各磁界発生手段ごとに１チップ内に形成し、各チップ上に前記ブリッジ回路を構成可能なよう電圧印加用端子と差動電圧検出用端子とを形成した、ことを特徴とする請求項５記載の加速度センサ。
【請求項７】
前記各チップ内に形成される前記各磁気抵抗効果素子の向きを、各チップごとに同一方向に配置した、ことを特徴とする請求項６記載の加速度センサ。
【請求項８】
前記一対の片持ち梁は、当該梁の捩れ方向に自由度を有すると共に、
前記片持ち梁が捩れることによって変化する磁界の向きを検出する他の捩れ方向用の前記磁界検出手段を、少なくとも１つの前記磁界発生手段のＮ極面及びＳ極面に対向するようそれぞれ少なくとも１つずつを設け、
前記捩れ方向用の各磁界検出手段を、磁界の向きに応じて抵抗値が変化する磁気抵抗効果素子にてそれぞれ形成すると共に、検出可能な磁界の向きが同一方向となるようそれぞれ配置した、
ことを特徴とする請求項３，４，５，６又は７記載の加速度センサ。
【請求項９】
前記捩れ方向用の各磁気抵抗効果素子の間の差動電圧を検出するブリッジ回路を備えた、
ことを特徴とする請求項８記載の加速度センサ。
【請求項１０】
前記捩れ方向用の各磁気抵抗効果素子を、前記Ｎ極面と前記Ｓ極面とに対向してそれぞれ２ずつ設けた、ことを特徴とする請求項９記載の加速度センサ。
【請求項１１】
前記捩れ方向用の４つの磁気抵抗効果素子を並列接続し前記ブリッジ回路を形成するよう１チップ内に形成し、このチップ上に電圧印加用端子と差動電圧検出用端子を形成した、ことを特徴とする請求項１０記載の加速度センサ。
【請求項１２】
前記一対の片持ち梁は、当該片持ち梁が撓んだときの軌跡が形成される面に対して直交する平面を有する板状の梁である、ことを特徴とする請求項３，４，５，６，７，８，９，１０又は１１記載の加速度センサ。
【請求項１３】
前記磁界発生手段は、Ｕ字型磁石である、ことを特徴とする請求項１，２，３，４，５，６，７，８，９，１０，１１又は１２記載の加速度センサ。
【請求項１４】
前記Ｕ字型磁石のＮ極及びＳ極の形成面とは反対側部分を覆う強磁性体を設けた、ことを特徴とする請求項１３記載の加速度センサ。
【請求項１５】
前記各片持ち梁のそれぞれの自由端において、前記各磁界発生手段をそれぞれ複数に分割して設けた、ことを特徴とする請求項１３又は１４記載の加速度センサ。
【請求項１６】
請求項３乃至１５記載の加速度センサを備えたことを特徴とする電子装置。
【請求項１７】
請求項３乃至１５記載の加速度センサを備えたことを特徴とするハードディスクドライブ。
【発明の詳細な説明】
【技術分野】
【０００１】
本発明は、加速度センサにかかり、特に、磁界の向きの変化に基づいて加速度を計測する加速度センサに関する。また、これを装備した電子装置に関する。
【背景技術】
【０００２】
従来より、所定の物体の動作を検出するために、かかる物体の加速度を検出する加速度センサの利用が検討されている。例えば、産業ロボットの操作部分、自動車のエアバック装置、さらには、携帯型パソコンに搭載されるハードディスクドライブなど、種々の用途が考えられる。具体的に、ハードディスクドライブにおいては、無理な移動や落下を瞬時に検出して磁気ヘッドの退避を行うなど、データの損傷を抑制するために利用可能である。さらには、自由落下の他に、機器に加えられる衝撃や機器の傾き（角度）を検出することにも加速度センサが必要とされている。
【０００３】
そして、従来例における加速度センサの構成としては、例えば特許文献１に開示されているように、加速によって構造体に生じるひずみを検出する手法が多く採られている。具体的には、十字状のばね性を有する支持部材の中心（交点）におもりを装備し、かつ、支持部材の各梁の部分に歪検出素子を固定装備する。そして、この歪検出素子からの検出値に基づいて各梁の変形を検出し、各軸（Ｘ，Ｙ，Ｚ）方向の加速度を検出する。例えば、歪検出素子として半導体ピエゾ素子を利用してその抵抗値をブリッジ回路を組んで検出したり、あるいは、特許文献１に示すように圧電振動子を利用して歪による発信周期を検出することにより、加速度を検出する手法がある。
【０００４】
【特許文献１】特許第２７３２２８７号公報
【発明の開示】
【発明が解決しようとする課題】
【０００５】
しかし、上記従来例における方法では、十字状の支持部材（ばね）自体やその近辺に、歪を検出するための信号を取り出す際に用いる電極を設ける必要があり、配線によって構造が複雑化しうる。また、支持部材に歪検出素子を装着するため、その小型化を図ることができない。さらには、支持部材のばね部分に歪検出素子を装着あるいは内蔵させるため、ばねの変位を妨げ、精度よく加速度を検出することが困難になる、という問題が生じていた。
【０００６】
このため、本発明では、上記従来例の不都合を改善し、特に、高感度に加速度検出を行うことができると共に、小型化を図ることができる加速度センサを提供することをその目的とする。
【課題を解決するための手段】
【０００７】
そこで、本発明の一形態である加速度センサは、
少なくとも一方向に自由度を有するばね部材と、Ｎ極面とＳ極面とを同一方向に向けて一体的に構成さればね部材に装備された磁界発生手段と、この磁界発生手段のＮ極面及びＳ極面にそれぞれ少なくとも１つずつ対向して配置され磁界の向きを検出する各磁界検出手段と、を備え、
各磁界検出手段を、磁界の向きに応じて抵抗値が変化する磁気抵抗効果素子にてそれぞれ形成すると共に、検出可能な磁界の向きが同一方向となるようそれぞれ配置した、
ことを特徴としている。
【０００８】
上記発明によると、まず、所定の方向に加速が生じると、ばね部材が撓み、それに装備されている磁界発生手段のＮ極面及びＳ極面が同一方向に傾く。そして、この角度を、各極面に対向して配置された磁気抵抗効果素子にて磁界の傾きに応じた抵抗値として出力する。このとき、各磁気抵抗効果素子は、検出する磁界の向きが同一となるよう配置されており、一方で、対向する磁界発生手段はＮ極あるいはＳ極といった逆極性であることから、逆向きの抵抗値が得られる。従って、これらの抵抗値の差分を算出することで、１つの磁気抵抗効果素子を設けた場合と比較してさらに大きな変化量（約２倍）を検出することができる。その結果、傾きの検出感度の向上を図ることができると共に、複数の磁界検出手段の磁化固定方向を同一方向に設定することからその構成が容易となり、さらに、センサの小型化を測ることができる。
【０００９】
また、上記構成に、各磁気抵抗効果素子の間の差動電圧を検出するブリッジ回路を備えた、ことを特徴とし、さらに、各磁気抵抗効果素子を、Ｎ極面と前記Ｓ極面とに対向してそれぞれ２ずつ設けた、ことを特徴としている。
【００１０】
これにより、ブリッジ回路にて容易に抵抗値を検出することができ、所定の方向の加速度計測が容易となる。また、所定方向の加速によって全ての抵抗値が変化する４つの磁気抵抗効果素子を用いてブリッジ回路を組むことで、より大きい差動電圧を抵抗値の変化を検出することができ、より高精度に加速度の検出を行うことができる。
【００１１】
また、４つの磁気抵抗効果素子を並列接続しブリッジ回路を形成するよう１チップ内に形成し、このチップ上に電圧印加用端子と差動電圧検出用端子を形成した、ことを特徴としている。
【００１２】
これにより、上述したように全ての磁気抵抗効果素子を同一方向に磁化固定させることができることから、ウエハプロセスにおいて１チップ上に形成することができる。従って、使用する素子の小型化を図ることができ、加速度センサ自体の小型化を図ることができる。
【００１３】
また、加速度センサの他の構成として、
同一直線上又はほぼ平行に、固定端と自由端との位置が相互に反対向きに配置され、各自由端が同一方向に沿って撓むよう自由度を有する一対の片持ち梁と、
Ｎ極面とＳ極面とを同一方向に向けて一体的に構成され、各片持ち梁の各自由端にそれぞれ装備された一対の磁界発生手段と、
各磁界発生手段のＮ極面及びＳ極面にそれぞれ少なくとも１つずつ対向して配置され磁界の向きを検出する各磁界検出手段と、を備え、
各磁界検出手段を、磁界の向きに応じて抵抗値が変化する磁気抵抗効果素子にてそれぞれ形成すると共に、対向する各磁界発生手段ごとに検出可能な磁界の向きが同一方向となるようそれぞれ配置した、
ことを特徴としている。
【００１４】
そして、片持ち梁の長手方向の加速度計測用として、一方及び他方の磁界発生手段のＮ極面とＳ極面とにそれぞれ対向する少なくとも４つから成る磁気抵抗効果素子の組を設けると共に、
片持ち梁が撓んだときの軌跡が形成される面に沿った当該片持ち梁の長手方向に直交する方向の加速度計測用として、加速度計測用の磁気抵抗効果素子の組と同様に少なくとも４つから成る磁気抵抗効果素子の組を別途設けた、
ことを特徴としている。
【００１５】
上記発明によると、まず、所定の方向に加速が生じると、各自由端にモーメントによって回転力が生じ、各片持ち梁はそれぞれ撓む。そして、各自由端に装備された磁界発生手段が傾き、これによる磁界の向きも変化する。このとき、各自由端は、所定の２軸方向においてそれぞれ異なるよう撓む。ここで、加速度センサが備え付けられた装置において、当該装置を形成する所定の平面をＸ軸とＹ軸にて構成されるＸ−Ｙ平面とし、その垂直方向をＺ軸方向とする。そして、Ｚ軸方向に撓むようＸ軸（又はＹ軸）に沿って一対の片持ち梁を設けた場合には、Ｘ軸方向（又はＹ軸方向）への加速に対しては一対の片持ち梁がそれぞれ反対方向に撓み、一方、Ｚ軸方向の加速に対しては、同一方向に撓む。そして、このような一対の片持ち梁の撓みの状態を、磁界発生手段からの磁界の向きの変化として各磁界検出手段にて検出することで、少なくとも２軸方向の加速度を検出することができる。つまり、磁気抵抗効果素子にて抵抗値にて検出することで、簡易な構成、小型かつ低コストにて加速度センサを構成することができる。特に、上述したように、各磁気抵抗効果素子を各磁界発生手段のＮ極面及びＳ極面に対応して検出する磁界の向きが同一となるよう配置するため、加速度の検出感度の向上を図ることができると共に、複数の磁界検出手段の磁化固定方向を同一方向に設定することから、その構成が容易となる。さらに、複数の磁界検出手段をごく近傍に集積できるため、後述するようにブリッジ回路を形成する素子間の抵抗値のばらつきが非常に小さく、また素子ごとの温度特性をそろえることができる。その結果、１チップで構成されるブリッジ回路の温度変化による電圧ドリフトを極力抑えることができ、温度ドリフト特性の向上を図ることができる。
【００１６】
また、各方向の加速度計測用としてそれぞれ設けられた磁気抵抗効果素子の組ごとに、各磁気抵抗効果素子の間の差動電圧を検出するブリッジ回路をそれぞれ設けた、ことを特徴としている。このとき、各磁気抵抗効果素子を、対向する各磁界発生手段ごとに１チップ内に形成し、各チップ上にブリッジ回路を構成可能なよう電圧印加用端子と差動電圧検出用端子とを形成した、ことを特徴としている。さらに、各チップ内に形成される各磁気抵抗効果素子の向きを、各チップごとに同一方向に配置した、ことを特徴としている。
【００１７】
これにより、Ｘ軸方向とＺ軸方向の加速度を、異なる磁界発生手段に対応して配置された磁気抵抗効果素子を用いて検出するものの、その際にブリッジ回路にて抵抗値を検出することで、より容易に検出できる。さらには、各磁界発生手段に対応する各磁気抵抗効果素子を１チップに収めることができるため、使用する素子の小型化を図ることができ、加速度センサ自体の小型化を測ることができる。
【００１８】
また、上記構成の加速度センサにおいて、一対の片持ち梁は、当該梁の捩れ方向に自由度を有すると共に、片持ち梁が捩れることによって変化する磁界の向きを検出する他の捩れ方向用の磁界検出手段を、少なくとも１つの磁界発生手段のＮ極面及びＳ極面に対向するようそれぞれ少なくとも１つずつを設け、捩れ方向用の各磁界検出手段を、磁界の向きに応じて抵抗値が変化する磁気抵抗効果素子にてそれぞれ形成すると共に、検出可能な磁界の向きが同一方向となるようそれぞれ配置した、ことを特徴としている。
【００１９】
これにより、上述した２軸（例えば、Ｘ軸とＺ軸）以外の他の１軸（例えば、Ｙ軸）方向に加速されると、片持ち梁が捩れ、これによる磁界発生手段による磁界の向きも変化する。そして、他の磁界検出手段にてかかる磁界の向きの変化を、上述したように、磁界発生手段のＮ極面とＳ極面にそれぞれ対応して配置された磁気抵抗効果素子を用いることで、より高精度に他の１軸（例えば、Ｙ軸）方向の加速度も検出することができる。
【００２０】
そして、上述した加速度センサ同様に、捩れ方向用の各磁気抵抗効果素子の間の差動電圧を検出するブリッジ回路を備えると望ましい。また、捩れ方向用の各磁気抵抗効果素子を、Ｎ極面とＳ極面とに対向してそれぞれ２ずつ設けると、より加速度検出の感度が向上する。さらには、捩れ方向用の４つの磁気抵抗効果素子を並列接続しブリッジ回路を形成するよう１チップ内に形成し、このチップ上に電圧印加用端子と差動電圧検出用端子を形成することで、センサの小型化を図ることができる。
【００２１】
また、上記一対の片持ち梁は、当該片持ち梁が撓んだときの軌跡が形成される面に対して直交する平面を有する板状の梁である、ことを特徴としている。このように、梁を板状に形成することで、各軸方向に沿った加速度に対して、上述したように容易に撓みと捩れを生じさせることができる。従って、簡易な構成にて３軸方向の加速度を検出できる加速度センサを形成することができ、小型化、低コスト化を図ることができる。
【００２２】
また、上記磁界発生手段は、Ｕ字型磁石である、ことを特徴としている。このとき、Ｕ字型磁石のＮ極及びＳ極の形成面とは反対側部分を覆う強磁性体を設けた、ことを特徴としている。さらに、各片持ち梁のそれぞれの自由端において、各磁界発生手段をそれぞれ複数に分割して設けた、ことを特徴としている。
【００２３】
これにより、磁界発生手段をＵ字型にすることで、磁界検出手段へ入射する磁界強度が大幅に増加しうる。特に、Ｕ字型磁石と強磁性体（鉄、パーマロイ、フェライトなど）とを組み合わせることで、磁界検出手段方向以外への磁界の漏れを大幅に抑えることができ、隣接する磁石同士の干渉を抑制できる。その結果、磁界検出手段を密集して配置しても高い出力電圧（磁気抵抗変化）を得ることができ、強い磁界を得るために磁石を大きく、あるいは、長く形成する必要が無くなり、かつ、磁界発生手段を分割してさらなる小型化が可能となる。これにより、磁界検出手段を密集して配置することを可能とし、センサの小型化、コストの削減を図ることができる。
【００２４】
そして、上述した加速度センサは、ハードディスクドライブなどの電子装置に装備して、当該電子装置に生じる加速度を計測するよう使用される。これにより、所定の加速度を検出したときに電子装置の動作を制御して当該装置自体を加速度から保護可能なよう構成することも可能である。さらには、電子装置に加えられる衝撃や電子装置の傾きなども検出することができ、検出した電子装置の状況に応じた処理を施すことが可能となる。従って、信頼性の高い電子装置を構成することができると共に、電子装置の高機能化を図ることができる。
【００２５】
また、上記加速度センサは、１Ｇから５０Ｇ程度の加速度を検出することができるため、自由落下を加速度で検出する機能、衝撃を加速度で検出する機能、さらには、角度を加速度で検出する機能を１つのセンサで実現することができる。
【発明の効果】
【００２６】
本発明は、以上のように構成され機能するので、これによると、所定方向の加速によって傾く磁界発生手段のＮ極及びＳ極による磁界の向きを抵抗値として検出することで、その差分は、１つの磁気抵抗効果素子を使用した場合と比較してさらに大きな変化量を得ることができる。その結果、加速度の検出感度の向上を図ることができると共に、複数の磁気抵抗効果素子の磁化固定方向を同一方向に設定することからその構成が容易となり、さらに、センサの小型化を測ることができる、という従来にない優れた効果を有する。
【発明を実施するための最良の形態】
【００２７】
本発明は、磁界発生手段による磁界の向きを、磁気抵抗効果素子にて抵抗値の変化として検出することで、加速度を検出することに特徴を有する。特に、Ｕ字磁石を用い、Ｎ極面とＳ極面の磁界の向きを抵抗値として検出し、その差分から加速度を求め、感度の向上を図る。以下、加速度の計測原理、及び、加速度センサの構成を、実施例にて説明する。
【実施例１】
【００２８】
本発明の第１の実施例を、図１乃至図８を参照して説明する。図１乃至図５は、本発明における加速度センサの計測原理を示す説明図である。図６乃至図８は、加速度センサの構成の一部を示す概略図である。以下、本発明の加速度センサの計測原理及び方法について説明し、加速度センサの構成について説明する。
【００２９】
［計測原理］
本発明の加速度センサは、加速が生じたときに位置や姿勢が変化する磁石にて発生される磁界の向きを検出することにより実現される。そして、磁界の向きは、ＧＭＲ素子を用いて抵抗値の変化に基づいて検出する。まず、図１を参照して、ＧＭＲ素子に対する磁界Ｈの向き（侵入角）と、ＭＲ抵抗値との関係について説明する。
【００３０】
図１（ａ）の上方には磁石が配置してあるものとするが、いずれの方向にも加速していない場合においては、ＧＭＲ素子が磁石からの磁界Ｈの向きに対してほぼ垂直となるよう配置されている（図１（ａ）の一点鎖線を参照）。そして、後述するように、所定方向に加速が生じることにより磁石に働く慣性力にて、これを支持するばね部材が撓んで磁石の姿勢が変化する。すると、磁石の磁界発生面が傾き、ここから発生される磁界Ｈの向きが−△θ（△（デルタ）：変化量を表すこととして用いる）、あるいは、＋△θの角度だけ傾く。すると、図１（ａ）の点線矢印に示すように、所定の角度をもって磁界がＧＭＲ素子３ａに侵入することとなる。このとき、ＧＭＲ素子３ａは、一方向に磁化固定されているため、その方向において磁界の向きが変化すると、図１（ｂ）に示すように、ＭＲ抵抗値が変化する。かかる例では、垂直な状態における抵抗値をＲｏと設定したときに、微小角度だけ傾いたときに特に大きく変化するという特性を有する。このように、磁石からの磁界Ｈの向きを、ＧＭＲ素子３ａのＭＲ抵抗値の変化にて検出することができる。
【００３１】
図２に、上述した原理を利用した加速度センサのモデルを示す。図２（ａ）に示すように、磁石２と、この磁石２を支持する片持ち梁１（ばね部材）と、磁石２の磁界発生面に対向して表面にＧＭＲ素子３ａが装備された磁界検出チップ３と、を備えて構成されている。ここで、片持ち梁１は、上下方向（矢印参照）に撓むよう自由度を有している。なお、磁石２を指示する部材は、片持ち梁１であることに限定されず、少なくとも一方向に自由度を有し、所定の加速によって磁石２の姿勢が変化するよう撓むばね部材であればよい。
【００３２】
そして、例えば、図２（ｂ）に示すように下方に落下するよう加速が生じたとすると（矢印Ｇｚ参照）、磁石２は慣性力により上方に移動するよう付勢され、これにより、片持ち梁１の自由端は上方に反り返るよう撓む。すると、磁石２の磁界発生面は、図２（ａ）の状態からは傾き、これにより、ＧＭＲ素子３ａに侵入する磁界Ｈの向きも傾く。そして、この磁界の向きに対応する抵抗値は、図２（ｃ）に示すように増加することとなる。こうして、かかる抵抗値に基づいて磁石２の傾き度合い、つまり、片持ち梁の撓み具合を検出することができ、さらにこれに基づいて、加速が生じている方向及び加速度を計測することができる。
【００３３】
ここで、本発明では、さらに計測精度の向上を図るべく、磁石２を図３に示すように、Ｕ字磁石２を用いる。このＵ字磁石２は、片持ち梁１の自由端に、下方にＮ極面とＳ極面を向けて装着される。このようにＵ字磁石２を用いることで、各極面からの磁界が周囲に漏れず、磁界の向きが各極面に対してより垂直方向を向くこととなり、指向性を有することとなる。従って、精度よく、磁石２の傾き、つまり、加速度を検出することができるようになる。なお、磁石はＵ字状ではなく、Ｎ極面とＳ極面とを同一方向に向けて一体的に構成された磁石であればよい。
【００３４】
また、Ｕ字磁石２のＮ極面及びＳ極面における磁界の向きを、よりＧＭＲ素子３ａに向かうようにし、磁界の漏れを抑制するためには、Ｕ字磁石のＮ極及びＳ極の形成面とは反対側部分を強磁性体（鉄、パーマロイ、フェライトなど）で覆うよう構成するとよい。つまり、強磁性体の板上にＮ極部とＳ極部とを備えてＵ磁石を構成し、キャップ型に形成するとよい。このようにＵ字型磁石と強磁性体（鉄、パーマロイ、フェライトなど）とを組み合わされることで、Ｎ極面、Ｓ極面からの磁界の漏れを大幅に抑えることができ、隣接する磁石同士の干渉をなくすことができる。
【００３５】
また、Ｕ字磁石２を用いることに対応して、Ｎ極面とＳ極面とが下方に向くこととなるが、それぞれの極面に対向するようＧＭＲ素子を備えた磁界検出チップ３１，３２を配置する。すると、例えば、図３（ｂ）に示すように下方に落下するよう加速が生じたときには（矢印Ｇｚ参照）、上記図２（ｂ）を参照して説明したときと同様に、磁石２の磁界発生面であるＮ極面とＳ極面は、図３（ａ）の状態からは傾く。このとき、Ｕ字磁石２は一体的に構成されているため、Ｎ極面とＳ極面はほぼ同一の方向に向くよう、同一の角度だけ傾く。このときの磁界の向きの検出原理を、図４乃至図５を参照して説明する。
【００３６】
図４（ａ）には、Ｕ字磁石２と、それに対向して配置されている磁界検出チップ３１，３２と、を模式的に示している。このとき、各磁界検出チップ３１，３２のＧＭＲ素子は、それぞれ同一方向に磁化固定されており、同一方向の磁界の向きを検出可能なよう構成されている。そして、上述したように、図４（ａ）の点線に示すようにＵ字磁石２が傾くと、Ｎ極面Ｓ極面それぞれの磁界の向きの変化により、ＧＭＲ素子にて出力される抵抗値が、図４（ｂ）に示すようになる。つまり、Ｎ極面に対向する磁界検出チップ３１からは＋ｄＲが出力され、Ｓ極面に対向する磁界検出チップ３２からは−ｄＲが出力される。そして、後述するように、これら抵抗値による出力から加速度を計測することとなる。
【００３７】
加速度の計測は、まず、上述したように各磁界検出チップ３１，３２からそれぞれ出力される抵抗値の差分を算出する。すると、１つのチップにて検出したときよりもその値が大きくなるため、検出感度が向上する。具体的には、図５（ａ）に示すように、各磁界検出チップ３１，３２のＧＭＲ素子３１ａ，３２ａを用いてブリッジ回路を構成し、当該ＧＭＲ素子３１ａ，３２ａの間の差動電圧（Ｖｏｕｔ）を求める。これにより、差動電圧は「２ｄＲ」となり、１つのＧＭＲ素子３１ａにて検出したときよりも、２倍の感度で磁石の傾きを検出することができる。そして、これは、図４（ａ）に示すように、ＧＭＲ素子３１ａ，３２ａを同一方向に磁化固定方向を向けて配置したことによる。
【００３８】
ここで、さらに検出感度を上げるべく、図５（ｂ）に示すように、ブリッジ回路を構成する４つの抵抗値全てに、Ｕ字磁石２の傾きに応じて検出される抵抗値を用いる。つまり、Ｕ字磁石２のＮ極面、Ｓ極面に対向して、それぞれ２つずつの磁界検出チップ３３，３４（ＧＭＲ素子３３ａ，３４ａ）を配置する。そして、４つのＧＭＲ素子３１ａ，３２ａ，３３ａ，３４ａにて磁界の向きに応じた抵抗値を検出するよう構成する。その様子を図６に示す。
【００３９】
図６には、Ｕ字磁石２と、一組の磁界検出チップ３０と、を示している。この図に示すように、Ｕ字磁石２のＮ極面とＳ極面とに対向して、それぞれの極面に２つずつの磁界検出チップ３１〜３４を配置し、全体として、１つのＵ字磁石２の磁界発生面に、４つのＧＭＲ素子を有する一組の磁界検出チップ３０を配置する。このとき、一組の磁界検出チップ３０は、全ての磁化固定方向が同一方向に配置される。このことについては、さらに後述する。
【００４０】
上記４つの磁界検出チップ３１〜３４にてブリッジ回路を組むと、図７（ａ）に示すように、各チップ３１〜３４の端子が接続されることとなる。そして、図７（ｂ）に示すように、Ｎ極面に対向する磁界検出チップ３１，３３のＧＭＲ素子３１ａ，３３ａからは、＋ｄＲの抵抗値が検出され、Ｓ極面に対向する磁界検出チップ３２，３４のＧＭＲ素子３２ａ，３４ａからは−ｄＲの抵抗値が検出される。このようにして構成したブリッジ回路にて、符号Ａ，Ｂに示す部位の差動電圧を計測することで、さらに高感度に傾きを検出することができる。
【００４１】
また、図８には、上記図７（ａ）に示す４つの磁界検出チップ３１〜３４からなる一組の磁界検出チップ３０を、各接続配線を含めてブリッジ回路を構成しつつ、１つの磁界検出チップ４として形成した例を示す。このように１チップ化できるのは、上述したように、４つのＧＭＲ素子３１ａ〜３４ａが同一の方向に磁化固定されているためであり、チップを製造するウエハプロセスにおいても容易に４つのＧＭＲ素子を同時に形成できるためである。この１チップ化された磁界検出チップ４についてさらに詳述すると、図８（ａ）に示すように、１つの磁界検出チップ４上には、４つのＧＭＲ素子３１ａ〜３４ａが形成されており、そして、これらを接続する配線と、各端子（電圧印加用端子４ａ，４ｂ（Ｖｃｃ、Ｇ）、差動電圧用端子４ｃ，４ｄ（Ａ，Ｂ））が形成されている。そして、各端子と各ＧＭＲ素子３１ａ〜３４ａが、それぞれチップ内で接続されている。
【００４２】
上記磁界検出チップ４は、図８（ｂ）に示すように、各ＧＭＲ素子部分３１ａ〜３４ａがＵ字磁石２のＮ極面、Ｓ極面にそれぞれ対向するよう配置される。かかる状態で差動電圧用端子４ｃ，４ｄ（Ａ，Ｂ）から差動電圧を検出することで、磁石２の傾きに応じた加速度を計測することができる。
【００４３】
そして、上述した加速度センサにより、１軸方向（例えば、垂直方向（Ｚ方向））の加速度を計測することが可能となる。これに加え、さらに２軸方向の加速度を計測する場合には、上述した片持ち梁１、磁石２、磁界検出チップ４からなる加速度センサを、各軸に設けることで、３軸方向（Ｘ，Ｙ，Ｚ軸方向）の加速度計測が可能となる。
【００４４】
以上説明したように、片持ち梁１（ばね部材）にＵ字磁石２を装備し、このＮ極面とＳ極面とに対峙するＧＭＲ素子を設け、ブリッジ回路にて抵抗値を検出することで、高感度に加速度を計測することができる。特に、複数のＧＭＲ素子を同一の磁化固定方向にて配置できることから、１チップに収めて形成することができ、加速度センサの小型化を図ることができる。
【実施例２】
【００４５】
次に、本発明の第２の実施例を、図９乃至図２０を参照して説明する。図９乃至１０は、加速度センサの構成を示す図である。図１１乃至図１６は、加速度計測の原理及び方法を説明する図である。図１７乃至図１８は、加速度センサの構成を示す概略図である。図１９乃至図２０は、加速度センサの構成の変形例を示す図である。
【００４６】
［構成］
本実施例における加速度センサの構成を、図９乃至図１０を参照して説明する。本実施例における加速度センサは、図１０（ａ）に示すように、ほぼ３つの構造体（Ａ，Ｂ，Ｃ）にて構成されている。まず、図９を参照して、加速度センサの上部に配置される第一構造体Ａについて説明する。図９（ａ）はその上面図を、図９（ｂ）は下方からの斜視図を示す。
【００４７】
図１に示すように、第一構造体Ａは、所定の厚みを有する略長方形の枠体１３を有しており、各短辺の中央には、それぞれ中心に向かって延びる一対の片持ち梁１０（各片持ち梁１１，１２）の固定端１１ｂ，１２ｂが一体的に装備されている。そして、この一対の片持ち梁１０は、各梁１１，１２が同一直線上に位置するよう形成され、各自由端１１ａ，１２ａが対峙するよう配置されている。つまり、２本の梁１１，１２は、固定端と自由端との位置が相互に反対向きに配置されている。
【００４８】
そして、各梁１１，１２は、枠体１３にて形成される平面にほぼ平行な略板状に形成されており、当該平面に対して垂直方向に撓むよう自由度を有している。具体的には、各梁１１，１２の枠体１３との連結点を支点として、自由端１１ａ，１２ａが、枠体１３にて形成される平面と垂直な平面上にて円弧軌跡（撓み軌跡）を描くよう撓む。また、各梁１１，１２は、捩れ方向にも自由度を有する。なお、各梁１１，１２の長さは、ほぼ同じ長さに形成されており、枠体１３の長辺の半分の長さよりも短く形成されている。これにより、枠体１３のほぼ中心にて、自由端１１ａ，１２ａが対峙するようになっている。
【００４９】
また、各梁１１，１２の対峙する自由端１１ａ，１２ａの左右には、それぞれ磁石２１ａ，２１ｂ，２２ａ，２２ｂ（磁界発生手段）が装着されている。なお、各梁１１，１２にそれぞれ２つずつ磁石が装備されているが、各梁１１，１２に１つでもよく、一対の片持ち梁１０に対応して一対の磁石が装備されていてもよい。
【００５０】
各磁石２１ａ，２１ｂ，２２ａ，２２ｂは、梁１１，１２の長手方向に厚みを有するＵ字磁石である。そして、これらＵ字磁石２１ａ，２１ｂ，２２ａ，２２ｂは、それぞれＮ極面とＳ極面を下方に向けて装着されている（後述する図１１（ａ）を参照）。具体的に、加速度がかかっていない状態においては、Ｕ字磁石２１ａ，２１ｂ，２２ａ，２２ｂによる磁界の向きは、板状である片持ち梁１１，１２の板面に対してほぼ垂直方向、つまり、片持ち梁１１，１２が撓んだときの軌跡が形成される面に沿って当該片持ち梁１１，１２の長手方向と直交する方向に向いている。そして、Ｎ極面では、当該Ｎ極面から出力されるよう下方に磁界が向いており、Ｓ極面には当該面に入力されるよう上方に磁界が向いている。なお、Ｕ字磁石２１ａ，２１ｂ，２２ａ，２２ｂは、永久磁石である。
【００５１】
このとき、上述したように、Ｕ字磁石をそれぞれ強磁性体の板上にＮ極部とＳ極部とを備えて構成し、キャップ型に形成することで、Ｎ極面、Ｓ極面からの磁界の漏れを大幅に抑えることができるため、図示するように磁石同士を隣接させたとしても、引き合ったり反発するなどの干渉を抑制することができる。
【００５２】
ここで、上記第一構造体Ａは、図９（ａ）及び図１０（ａ）に示すように、枠体１３にて形成される平面が、装着される装置（例えば、ハードディスクドライブ）の一平面（例えば、水平面）と並行になるよう配置される。そして、枠体１３の長辺がＸ軸に、短辺がＹ軸に沿った向きにて配置される。従って、各片持ち梁１１，１２は、Ｘ軸に沿って配置されることとなり、また、Ｚ軸方向に自由度を有して撓むこととなる。そして、上述した磁石２１ａ，２１ｂ，２２ａ，２２ｂの磁界の向きは、加速度センサが設置される装置（例えば、ハードディスクドライブ）が水平に載置される際には、当該水平方向に直交するＺ軸方向に向くよう設定されている。但し、加速度センサが所定の設置されるときの向きは任意である。
【００５３】
次に、図１０を参照して、上記第一構造体の下方に装備される第二構造体Ｂと第三構造体Ｃについて説明する。図１０（ａ）は加速度センサの全体構成を示す分解図であり、図１０（ｂ）は加速度センサの全体構成を簡略化した側方断面図を示す。
【００５４】
まず、第三構造体Ｃは、上記枠体１３とほぼ同一形状である略長方形状の板材である基台１５を備えている。また、第二構造体Ｂは、第三構造体Ｃの周囲を囲うよう所定の高さを有する側面体１４から成る。この側面体１４が、第三構造体Ｃと第一構造体Ａとの間に配置されることで、これら構造体Ａ，Ｃの間には空間が形成される。つまり、第一構造体Ａの一対の片持ち梁１０がＺ軸方向に撓むことが許容される空間が形成されることとなる。
【００５５】
ここで、第三構造体Ｃについて詳述する。基台１５には、枠体１３に装備された上記磁石２１ａ，２１ｂ，２２ａ，２２ｂのうち３つに対応してそれぞれ磁界の向きを検出する磁界検出チップ５，６，７（磁界検出手段）が配置されている。その配置は、加速度センサを組み付けると、図１０（ｂ）に示すように、各磁石２１ａ，２２ａ，２２ｂの真下に位置することとなる。そして、各磁石２１ａ，２２ａ，２２ｂのＮ極面、Ｓ極面からの磁界の向き（矢印参照）を検出するために用いられる。
【００５６】
磁界検出チップ５，６，７は、上記実施例１にて説明した４つのＧＭＲ素子が形成された磁界検出チップ４とほぼ同様の構成である。そして、符号７に示す磁界検出チップは、Ｙ軸方向の加速度を検出するためのものであり、符号５，６に示す２つの磁界検出チップは、Ｘ軸方向とＺ軸方向の加速度を検出するためのものである。つまり、符号５，６の２つの磁界検出チップは、一対の片持ち梁１１，１２に対応して、対をなして配置されている。
【００５７】
そして、上述したように、各磁界検出チップ５，６，７の上面の積層面にそれぞれ４つずつ形成されているＧＭＲ素子（磁気抵抗効果素子）は、入力される磁界の向きに応じたＭＲ抵抗値を出力する。これらＧＭＲ素子は、所定の方向の磁界のみを検出すべく、かかる方向に磁化固定されている。例えば、符号５，６に示すＸ軸方向用、Ｚ軸方向用の磁界検出チップに形成されたＧＭＲ素子は、Ｘ軸方向と垂直な方向（Ｙ軸方向）に延びる直線状に複数形成されており、互いに直列接続されていて、Ｘ軸方向の加速度を検出するためにＸ軸方向に磁化固定されている。なお、これらを用いてＸ軸方向とＺ軸方向との加速度を計測する原理については後述する。また、符号７に示す磁界検出チップのＧＭＲ素子は、Ｙ軸方向と垂直な方向（Ｘ軸方向）に延びる直線状に複数形成されていて直列接続されており、Ｙ軸方向の加速度を検出するためにＹ軸方向に磁化固定されている。
【００５８】
また、各磁界検出チップ５，６，７には、上記各ＧＭＲ素子を接続する配線が形成されており、さらに、これらＧＭＲ素子に接続された接続端子（電圧端子、グランド端子、差動電圧検出用端子）などが形成されている。
【００５９】
次に、具体的に各軸方向の加速度の検出原理を説明する。まず、図１１乃至図１３を参照して、Ｘ軸方向、及び、Ｚ軸方向の加速度を検出する際の原理を説明する。上述したように、磁界検出チップは、Ｘ軸用、Ｚ軸用として一対のチップ５，６を配置しているが、それぞれのＧＭＲ素子の磁化固定はＸ軸方向と同一である。そして、後述するように、１つの磁界検出チップに形成された４つのＧＭＲ素子のうち、２つをＸ軸用、残りの２つをＺ軸用として用いる。従って、一対の磁界検出チップ５，６からそれぞれ２つずつ、計４つのＧＭＲ素子を用いてブリッジ回路を構成して、２軸方向の加速度の計測をする。以下、計測原理をさらに詳述する。
【００６０】
まず、図１１（ａ）に示すように、通常は、磁石２１ａ，２１ｂ，２２ａ，２２ｂからの磁界Ｈの向きが磁界検出チップ５，６，７の積層面にほぼ垂直に設定されている。但し、図１１（ｂ）に示すように、梁１１，２１の自重や磁石２１ａ，２１ｂ，２２ａ，２２ｂによる質量のため、梁１１，１２の自由端１１ａ，１２ａが下方に常に撓んだ状態にある。かかる場合には、それぞれが垂直方向に対して−△θｇだけ傾いた状態にあるため、ＧＭＲ素子に対する磁界の向きも同様に垂直方向に対して−△θｇだけ傾いた状態となる。なお、それぞれの梁１１，１２は相互に反対向きに設けられているので、その角度の正負の向きも逆となる。そして、この図においては、加速度ｇがかかっている状態であるが、このときのＸ軸方向への加速度と、Ｚ軸方向への加速度とは、磁界Ｈの向きの変化量、つまり、上記磁石２１ａ，２１ｂ，２２ａ，２２ｂの傾いた角度の和と差を算出することにより、当該算出した角度の大小によって表すことができる。具体的には、Ｘ軸方向の加速度に対応する角度Ａｘは侵入角の差を、Ｚ軸方向の加速度に対応する角度Ａｚは侵入角の和を算出すればよいこととなり、
Ａｘ＝−△θｇ−（−△θｇ）＝０
Ａｚ＝−△θｇ＋（−△θｇ）＝−２△θｇ
となる。
【００６１】
次に、図１２（ａ）において、Ｘ軸方向に加速した場合を説明する。この図に示すように、矢印Ｇｘ方向に加速した場合には、一方の梁１１の自由端（磁石２１ａ）はＺ軸の正方向に撓むため、磁石２１ａは、垂直方向に対して−△θｇ＋△θｘだけ傾くこととなる。そして、他方の梁１２の自由端（磁石２２ａ）はＺ軸の負方向に撓むため、磁石２２ａは、垂直方向に対して−△θｇ−△θｘだけ傾くこととなる。ここから、Ｘ軸方向の加速度に対応する角度Ａｘと、Ｚ軸方向の加速度に対応する角度Ａｚを求めると、
Ａｘ＝（−△θｇ＋△θｘ）−（−△θｇ−△θｘ）＝＋２△θｘ
Ａｚ＝（−△θｇ＋△θｘ）＋（−△θｇ−△θｘ）＝−２△θｇ
となる。
【００６２】
同様に、図１２（ｂ）は、Ｚ軸方向に加速した場合である。この図に示すように、矢印Ｇｚ方向に加速した場合には、一対の梁１１，１２の自由端（磁石２１ａ，２２ａ）が共に、Ｚ軸の正方向に撓むため、磁石２１ａ，２２ａは、垂直方向に対して−△θｇ＋△θｚだけ傾くこととなる。ここから、Ｘ軸方向の加速度に対応する角度Ａｘと、Ｚ軸方向の加速度に対応する角度Ａｚを求めると、
Ａｘ＝（−△θｇ＋△θｚ）−（−△θｇ＋△θｚ）＝０
Ａｚ＝（−△θｇ＋△θｚ）＋（−△θｇ＋△θｚ）＝−２△θｇ＋２△θｚ
となる。
【００６３】
同様に、図１２（ｃ）は、Ｘ−Ｚ平面に沿ってＸ軸及びＺ軸方向に加速した場合である。この図に示すように、矢印Ｇｘｚ方向に加速した場合には、Ｘ軸方向の加速を含んでいるため、上述したように、一対の梁１１，１２の自由端（磁石２１ａ，２２ａ）はそれぞれ異なるようＺ軸方向に撓む。このため、一方の磁石２１は、垂直方向に対して−△θｇ＋△θｘ＋△θｚだけ傾くこととなり、他方の磁石２２は、垂直方向に対して−△θｇ−△θｘ＋△θｚだけ傾くこととなる。ここから、Ｘ軸方向の加速度に対応する角度Ａｘと、Ｚ軸方向の加速度に対応する角度Ａｚを求めると、
Ａｘ＝（−△θｇ＋△θｘ＋△θｚ）−（−△θｇ−△θｘ＋△θｚ）
＝＋２△θｘ
Ａｚ＝（−△θｇ＋△θｘ＋△θｚ）＋（−△θｇ−△θｘ＋△θｚ）
＝−２△θｇ＋２△θｚ
となる。
【００６４】
以上のように、一対の片持ち梁１１，１２の自由端が、Ｘ軸方向に加速した場合にはそれぞれ逆方向に撓み、また、Ｚ軸方向に加速した場合にはそれぞれ同一方向に撓むため、各片持ち梁１１，１２のそれぞれの撓み方向の組み合わせを、各磁石２１ａ，２２ａのＸ軸方向における磁界Ｈの向きを検出して特定することで、Ｘ軸方向、及び、Ｚ軸方向の２軸方向の加速度を計測することができる。
【００６５】
また、図１３は、Ｙ軸方向に加速した場合である。Ｙ軸方向に加速すると、両梁１１，１２とも、同一回転方向に捩れる。従って、磁石２１ａ，２１ｂ，２２ａ，２２ｂは両方とも同一方向に回転する。このため、磁石２１ａ，２１ｂ，２２ａ，２２ｂは、垂直方向に対して＋△θｙだけ傾くこととなる。従って、この傾きの角度＋△θｙをＹ軸方向の加速度に対応する角度Ａｙとして用いることができる。
【００６６】
ここで、Ｘ軸方向とＺ軸方向のＧＭＲ素子は、両方ともＸ軸方向に磁化固定されているため、上述したように一対の片持ち梁１１，１２の撓み方向の組み合わせの相違を、各ＧＭＲ素子から出力される抵抗値から特定する必要がある。そのために、各軸における一対の磁界検出チップ５，６内のＧＭＲ素子の配置を以下のように設定する。
【００６７】
まず、図１４（ａ）（１）にはＸ軸方向（右向き矢印方向）に加速度が生じた場合の一対の片持ち梁１１，１２の様子を、図１４（ａ）（２）にはＺ軸方向（上向き矢印方向）に加速度が生じた場合の一対の片持ち梁１１，１２の様子を示す。そして、図１４（ｂ）は、それぞれＧＭＲ素子に対する磁界Ｈの侵入角と抵抗値との正負の関係を示す。この図において、磁界検出チップ５，６内に図示された三角形は、計測する磁界の向きによる出力抵抗値の正負の向きを示している。なお、各片持ち梁１１，１２は、それぞれ自由端が対峙して設けられているので、磁石２１ａ，２２ａの傾き角度の正負は、もともと逆方向に設定されていることとする（図１１等参照）。
【００６８】
はじめにＸ軸用のＧＭＲ素子にて検出する抵抗値を考える。図１４（ｂ）（１）の上段に示すように対をなす磁界検出チップ５，６のＧＭＲ素子を、相互に反対向きに配置すると、図１４（ｂ）（１）の下段のように抵抗値ｄＲは、それぞれ正負が逆となる。一方、これとは逆に同一の向きにＧＭＲ素子を配置すると、抵抗値ｄＲは、それぞれ正あるいは負となる。このとき、ブリッジ回路によって差動電圧を検出するために、２つの抵抗値の差を算出すると、
反対向きの場合：Ｄｘ＝＋ｄＲ−（−ｄＲ）＝＋２ｄＲ
同一向きの場合：Ｄｘ＝＋ｄＲ−（＋ｄＲ）＝０
以上より、Ｘ軸方向用の一対の磁界検出チップ５，６内のＧＭＲ素子の配置は、図１４（ｂ）（１）に示すように逆向きに設定する必要がある。
【００６９】
次に、Ｚ軸用のＧＭＲ素子にて検出する抵抗値を考える。図１４（ｂ）（２）の上段ように、対をなす磁界検出チップ５，６のＧＭＲ素子を同一の向きに配置すると、抵抗値ｄＲはそれぞれ正負が逆となる。一方で、これとは逆に、相互に反対向きにＧＭＲ素子を配置すると、抵抗値ｄＲはそれぞれ正となる。このとき、ブリッジ回路によって差動電圧を検出するために、２つの抵抗値の差を算出すると、
同一向きの場合：Ｄｘ＝＋ｄＲ−（−ｄＲ）＝＋２ｄＲ
反対向きの場合：Ｄｚ＝＋ｄＲ−（＋ｄＲ）＝０
以上より、Ｚ軸方向用の一対の磁界検出チップ５，６内のＧＭＲ素子の配置は、図１４（ｂ）（２）に示すように同一の向きに設定する。
【００７０】
さらに、Ｙ軸方向のＧＭＲ素子にて検出する抵抗値を考えてみると、これは、上述した実施例１の場合と同様である。従って、全てのＧＭＲ素子を同一方向に向けて配置すればよい。
【００７１】
次に、さらに磁界検出チップ５，６，７の配置について図１５乃至図１７を参照して詳述する。まず、上述したように、各チップ５，６，７を各磁石２１ａ，２２ａ，２２ｂに対向して配置する。このとき、図１５に示すように、符号２１ａに示す磁石に対向する磁界検出チップ５内の２つのＧＭＲ素子がＸ軸用として用いられ（符号ＳＸ１）、同様に、符号２２ａに示す磁石に対向する磁界検出チップ６内の２つのＧＭＲ素子がＸ軸用として用いられ（符号ＳＸ２）、これらによってＸ軸用加速度センサＳＸが構成される。また、同様に、磁界検出チップ５，６の残りのＧＭＲ素子（ＳＺ１，ＳＺ２）でＺ軸用加速度センサＳＺが構成される。なお、Ｘ軸用センサＳＸを構成するＧＭＲ素子は、上述したように、磁界検出チップ５，６において反対向きに配置するとよいが、これでは、符号６に示す磁界検出チップにおいて、ＧＭＲ素子の全ての磁化固定向きが同一とならない。すると、１チップ内に製造することが困難となってしまうため、図１６の符号ＳＺ２，ＳＸ２に示すように同一向きに設定することが必要となる。これに対応するためには、これらＧＭＲ素子に接続される電圧印加用端子などの配置を、通常とは逆に設定すればよい。これについては後述する。
【００７２】
また、符号２２ｂに示す磁石に対向して配置された磁界検出チップ７内の４つのＧＭＲ素子が、Ｙ軸用センサＳＹとして用いられる。このとき、その向きは、梁１２の捩れ方向に向いて配置される。
【００７３】
続いて、図１７に、実際に装着する磁界検出チップ５，６，７の構成と、その配置について説明する。まず、Ｙ軸用の磁界検出チップ７は、上記実施例１にて図８を参照して説明したものと同様の構成を採っており、磁化固定方向が同一の４つのＧＭＲ素子７１，７２，７３，７４が形成されている。そして、各ＧＭＲ素子７１〜７４は、それぞれ磁石２２ｂのＮ極面、Ｓ極面に対向して配置される。また、この磁界検出チップ７には、電圧印加用端子（Ｖｃｃ，Ｇ）と、差動電圧検出用端子（Ｙ１，Ｙ２）が形成されており、ブリッジ回路が形成されている。これにより、差動電圧検出用端子（Ｙ１，Ｙ２）間の差動電圧を計測することで、上述したように、高感度に磁石２２ｂの傾き、つまり、Ｙ軸方向の加速度を検出することができる。
【００７４】
また、Ｘ軸用、Ｚ軸用として用いられる一対の磁界検出チップ５，６も同様に、それぞれ磁化固定方向が同一の４つのＧＭＲ素子（５１，５２，５３，５４）（６１，６２，６３，６４）が形成されている。但し、このうち、各チップ５，６におけるそれぞれ２つずつのＧＭＲ素子により、Ｘ軸用センサＳＸ１，ＳＸ２（５１，５２，６３，６４）、Ｚ軸用センサＳＺ１，ＳＺ２（５３，５４，６１，６２）が構成される。なお、Ｘ軸用のセンサに関しては、符号６に示す磁界検出チップにおけるＧＭＲ素子ＳＸ２が、電圧印加用端子が逆に接続されることで、出力抵抗値が逆になるよう設定され、ＳＸ１に対して反転させた場合と同様の効果を有する。そして、各軸用センサにてブリッジ回路を構成し、差動電圧検出用端子（Ｘ１，Ｘ２）（Ｚ１，Ｚ２）間の差動電圧を計測することで、各磁石２１ａ，２２ａの傾きを検出し、上述したように、Ｘ軸あるいはＺ軸方向への加速度を計測することができる。つまり、上記構成により、各磁界検出チップ５，６，７の各ＧＭＲ素子にて、図１８に示すようブリッジ回路が形成される。従って、かかるブリッジ回路にて、それぞれの差動電圧Ｖｘ，Ｖｙ，Ｖｚを検出することにより、これらに基づいて各ＧＭＲ素子の抵抗値の変化、つまり、各軸方向の加速度を検出することができる。
【００７５】
そして、図１７に示すように、磁界検出チップ５，６，７に形成するＧＭＲ素子は、各チップにおいて全てが同一の方向に磁化固定されているため、チップを製造するウエハプロセスにおいて、容易に１チップ上に収めて製造することができる。従って、磁界検出チップの小型化を図ることができる。また、各４つのＧＭＲ素子を１チップ化するため、ブリッジ回路を構成する際にこれらの配線接続も容易となり、容易に使用することができる。
【００７６】
なお、上記では、Ｕ字磁石２のＮ極、Ｓ極が、各梁１１，１２の長手方向に平行して装着されている場合を例示し、これに対応して磁界検出チップ５，６，７のＧＭＲ素子を配置した例を説明したが、これに限定されない。図１９に示すように、Ｕ字磁石２のＮ極、Ｓ極が、各梁１１，１２の長手方向に対して垂直に延びるよう装着されていてもよい。かかる場合には、Ｎ極、Ｓ極に対応して、各磁界検出チップ５，６，７のＧＭＲ素子を配置する。
【００７７】
また、上記では、ブリッジ回路を構成して各ＧＲＭ素子の抵抗値の変化を検出して、これに基づいて各片持ち梁１１，１２に設けられた各磁石２１ａ，２１ｂ，２２ａ，２２ｂの傾きを検出し、最終的に各軸方向の加速度を計測する構成を例示したが、かかる構成にて計測することに限定されない。ブリッジ回路を用いずに、各ＧＭＲ素子の抵抗値を検出する構成、方法を採ってもよい。
【００７８】
また、ブリッジ回路を用いずに、他の構成、方法にて、各片持ち梁１１，１２のＺ軸方向に沿った撓み方向の相違を検出して、Ｘ軸方向とＺ軸方向との加速度を計測してもよい。例えば、直接各ＧＭＲ素子の抵抗値を検出し、その変化量の正負をも区別して検出することで、Ｘ軸用とＺ軸用とを共用することができ、さらに構成の簡素化を実現できる。
【００７９】
また、上記では、一対の片持ち梁１１，１２を同一直線状に配置したが、同一直線状ではなく、これらをほぼ平行に配置してもよい。このようにしても、Ｘ軸、Ｚ軸方向への加速度に対して、上述同様に作用しうる。また、磁石を装備した各自由端を相互に対峙するよう配置したが、後に説明するように、それぞれが反対側に位置するよう配置してもよい。
【００８０】
さらに、上記では、梁１１，１２を水平面を形成するＸ軸に沿って配置する構成を例示したが、いかなる向きに配置してもよい。例えば、梁１１，１２を水平面を形成するＹ軸方向に沿って配置して、その撓み方向がＺ軸方向となるよう配置してもよい。
【００８１】
ここで、上述した一対の片持ち梁１０、つまり、第一構造体Ａの変形例を、図２０に示す。図２０は、本実施例における一対の片持ち梁及び磁石を含む第一構造体の構成を示す図であり、図２０（ａ）は、上方から見た斜視図を、図２０（ｂ）は裏面側から見た斜視図である。
【００８２】
図２０に示すように、本実施例における一対の片持ち梁１０１は、ほぼ同一直線状に配置され、各梁１１１，１１２の各固定端が対峙して配置されている。そして、各固定端側で１つの板状の支持部材１３０にて固定されている。従って、各梁１１１，１１２の各自由端は、相互に反対側に位置している。これにより、各自由端に装備された各磁石１２１，１２２間の距離を離して配置することができる。また、各磁石１２１，１２２は、さらに２つに分割されて設けられている。このとき、各梁１１１，１１２の自由端部から梁１１１，１１２に対して垂直に延びる長さの短い補助部材が設けられており、その両端部に分割された各Ｕ字磁石（１２１ａ，１２１ｂ、及び、１２２ａ，１２２ｂ）が設けられている。
【００８３】
これに対応して、各Ｕ字磁石１２１ａ，１２１ｂ，１２２ａ，１２２ｂの下方には、上述したように、磁界検出チップが配置されることとなる。
【００８４】
このようにすることにより、各梁１１１，１１２に装備された磁石間の距離をあけて配置することができ、チップによる磁界の向きの検出時に、他方の磁石による影響を抑制することができる。これにより、計測精度の向上を図ることができる。また、中央に配置された支持部材１３０にて一対の片持ち梁１０１を支持しているため、センサ自身の省スペース化、及び、低コスト化を測ることができる。
【００８５】
ここで、上述した磁界検出チップの変形例、及び、磁石に対する配置の変形例を、図２１乃至図２２を参照して説明する。図２１（ａ）には、Ｘ軸及びＺ軸方向用の磁界検出チップ５’（６’）の構成を示す。また、図２１（ｂ）には、Ｙ軸方向用の磁界検出チップ７’の構成を示す。この図において、符号５ａ（６ａ）あるいは符号７ａに示す部分がＧＭＲ素子となっている。そして、それぞれのＧＭＲ素子が三角形印方向に磁化固定されており、上述したように、同一チップ内では全てが同一方向に磁化固定されている。
【００８６】
そして、図２２に、実際に磁石配置したときの様子を示す。図２２（ａ）は上面図を示し、図２２（ｂ）は図２２（ａ）に示す矢印方向から見た側面図を示す。この図においては、図２０に示した片持ち梁１０１に、それぞれＵ字型磁石１２１ａ，１２１ｂ，１２２ａ，１２２ｂが装備されており、このとき、符号１２１ａと１２２ａに示す磁石に対して、符号１２１ｂ，１２２ｂの磁石は９０度回転して装備されている。そして、符号１２１ａと１２２ａに示す磁石には上述したＸ軸及びＹ軸方向用の磁界検出チップ５’，６’が配設され、符号１２２ｂの磁石にはＹ軸方向用の磁界検出チップ７’が配設されており、それぞれのＧＭＲ素子５ａ，６ａ，７ａが対向した状態になっている。なお、符号１２１ｂに示す磁石に対してはチップが配設されないが、片持ち梁のバランスを保つため、装備された状態である。
【００８７】
以上のように、磁界検出チップを構成したり、Ｕ字磁石を配置した場合であっても、上述同様に１つのセンサにて３軸方向の加速度を検出することができる。なお、上述した磁界検出チップの構成やＵ字磁石の配置、さらには、磁界検出チップとＵ字磁石との位置関係は一例であって、上述したものに限定されるものではない。
【実施例３】
【００８８】
次に、上述した構成の加速度センサの実装例を説明する。例えば、ハードディスクドライブの筐体内に加速度センサを装備する。
【００８９】
ここで、図２３に、ハードディスクドライブ２００を裏側から見た内部構造を示す。ハードディスクドライブ２００の内部には、当該ドライブの動作を制御する制御基板２０１が実装されており、かかる基板２０１上に加速度センサ２１０を装着する。そして、当該センサ２１０から検出した信号が、制御基板２０１上の演算装置（図示せず）にて演算処理され、所定の方向の加速度を検出するよう構成する。これにより、ハードディスクドライブ２００がいかなる姿勢にてコンピュータなどに配置されていたとしても、上述したように３軸方向の加速度を検出することができるため、いかなる方向の加速度をも適切に検出することができる。
【００９０】
そして、例えば、各軸方向への所定の値以上の加速度を検出した際には、磁気ヘッドを磁気ディスク上から退避させるよう作動させる機構及び制御装置を、ハードディスクドライブ２００に装備するとよい。このようにすることで、データの破損を抑制することができる。
【００９１】
なお、上記では、加速度センサをハードディスクドライブに装備する場合を例示したが、他の電子装置に搭載してもよい。そして、所定の加速度を検出したときに電子装置の動作を制御して当該装置自体を加速度から保護可能なよう構成してもよい。さらには、上記加速度センサにて加速度を検出することによって、電子装置に加えられる衝撃や電子装置の傾きなども検出することができる。そして、検出した加速度、つまり、衝撃や傾き状況に応じた所定の処理を施すことも可能となる。従って、信頼性の高い電子装置を構成することができると共に、電子装置の高機能化を図ることができる。
【００９２】
ここで、例えば、自由落下を検出する場合には１Ｇ〜３Ｇの範囲で検出可能なセンサを、衝撃を検出する場合には３０Ｇ〜５０Ｇの範囲で検出可能なセンサを装備することが望ましいが、本発明の加速度センサは、１Ｇから５０Ｇ程度の加速度を検出することができるため、自由落下を加速度で検出する機能、衝撃を加速度で検出する機能、さらには、角度を加速度で検出する機能を１つのセンサで実現することができる。
【産業上の利用可能性】
【００９３】
本発明である加速度センサは、産業用ロボットやハードディスクドライブなどの電子装置に生じる衝撃や落下、傾きなどを検出することができ、電子装置の状況に応じた適切な処理を施すよう構成することが可能であり、産業上の利用可能性を有する。
【図面の簡単な説明】
【００９４】
【図１】図１（ａ），（ｂ）は、実施例１における加速度の計測原理を示す説明図であり、磁界の向きとＧＭＲ素子の抵抗値との関係を示す。
【図２】図２（ａ）〜（ｃ）は、実施例１における加速度の計測原理を示す説明図であり、加速度センサの一構造を挙げて磁界の向きとＧＭＲ素子の抵抗値との関係を示す図である。
【図３】図３（ａ），（ｃ）は、実施例１における加速度の計測原理を示す説明図であり、磁石にＵ字磁石を用いた場合を示す。
【図４】図４（ａ），（ｂ）は、実施例１における加速度の計測原理を示す説明図であり、磁石にＵ字磁石を用いた場合の磁界の向きとＧＭＲ素子の抵抗値との関係を示す。
【図５】図５（ａ），（ｂ）は、実施例１におけるＧＭＲ素子にてブリッジ回路を構成したときの様子を示す図である。
【図６】実施例１における磁界検出チップの構成を示すと共に、当該磁界検出チップのＵ字磁石に対する配置を示す図である。
【図７】図７（ａ），（ｂ）は、磁界検出チップにより構成したブリッジ回路を示す図である。
【図８】図８（ａ）は、実施例１における磁界検出チップの構成を示す概略図であり、図８（ｂ）は、磁界検出チップのＵ字磁石に対する配置を示す図である。
【図９】図９は、実施例２における加速度センサの一部である片持ち梁を有する構成を示す。図９（ａ）は上面図を示し、図９（ｂ）は下方斜視図を示す。
【図１０】図１０は、実施例２における加速度センサの全体構成を示す。図１０（ａ）は加速度センサの分解図であり、図１０（ｂ）は側方から見た簡略図である。
【図１１】図１１（ａ），（ｂ）は、実施例２における加速度の計測原理を示す説明図である。
【図１２】図１２（ａ）〜（ｃ）は、実施例２における加速度の計測原理を示す説明図である。
【図１３】図１３（ａ），（ｂ）は、実施例２における加速度の計測原理を示す説明図である。
【図１４】図１４（ａ），（ｂ）は、実施例２における適切なセンサの配置を示す説明図である。
【図１５】実施例２におけるＵ字磁石に対する磁界検出チップの配置を示す説明図である。
【図１６】実施例２におけるＵ字磁石に対する磁界検出チップの配置の改良例を示す説明図である。
【図１７】実施例２における各磁界検出チップの構成を示すと共に、これら磁界検出チップのＵ字磁石に対する配置を示す図である。
【図１８】実施例２における各磁界検出チップにてブリッジ回路を構成したときの説明図である。
【図１９】実施例２におけるＵ字磁石に対する磁界検出チップの配置の変形例を示す説明図である。
【図２０】実施例２における加速度センサの一部である片持ち梁の構成の変形例を示す図であり、図２０（ａ）は上方斜視図、図２０（ｂ）は下方斜視図である。
【図２１】図２１（ａ），（ｂ）は、それぞれ磁界検出チップの構成の変形例を示す図である。
【図２２】図２２（ａ），（ｂ）は、図２１に開示した磁界検出チップを磁石に対抗して配置したときの図を示す。
【図２３】本発明である加速度センサをハードディスクドライブに実装したときの様子を示す図である。
【符号の説明】
【００９５】
１，１１，１２，１１１，１１２  片持ち梁（ばね部材）
１０  一対の片持ち梁
２  磁石（磁界発生手段）
３，４，３１，３２，３３，３４，４，５，６，７  磁界検出チップ（磁界検出手段）
３ａ，３１ａ，３２ａ，３３ａ，３４ａ，５１，５２，５３，５４，６１，６２，６３，６４，７１，７２，７３，７４  ＧＭＲ素子（磁気抵抗効果素子）
２１ａ，２１ｂ，２２ａ，２２ｂ  Ｕ字磁石
１３  枠体
１４  側面体
１５  基台
１１ａ，１２ａ  自由端
１１ｂ，１２ｂ  固定端
１３０  支持部材
２００  ハードディスクドライブ（電子装置）
２０１  制御基板
２１０  加速度センサ
Ａ  第一構造体
Ｂ  第二構造体
Ｃ  第三構造体
【図１】
0004460509.tif 000002
【図２】
0004460509.tif 000003
【図３】
0004460509.tif 000004
【図４】
0004460509.tif 000005
【図５】
0004460509.tif 000006
【図６】
0004460509.tif 000007
【図７】
0004460509.tif 000008
【図８】
0004460509.tif 000009
【図９】
0004460509.tif 000010
【図１０】
0004460509.tif 000011
【図１１】
0004460509.tif 000012
【図１２】
0004460509.tif 000013
【図１３】
0004460509.tif 000014
【図１４】
0004460509.tif 000015
【図１５】
0004460509.tif 000016
【図１６】
0004460509.tif 000017
【図１７】
0004460509.tif 000018
【図１８】
0004460509.tif 000019
【図１９】
0004460509.tif 000020
【図２０】
0004460509.tif 000021
【図２１】
0004460509.tif 000022
【図２２】
0004460509.tif 000023
【図２３】
0004460509.tif 000024